(57)【要約】【課題】容器本体内に収容された粒状の内容物を、指等で摘み出すことなく、１粒ずつ個別に取り出すことができる容器を提供することを目的としている。【解決手段】粒状の内容物を収容する容器本体２と、容器本体２の開口部２０に設けられた中蓋３と、中蓋３を覆う開閉可能な上蓋４と、を備える容器１において、中蓋３には、内容物が取り出される取出部３５が形成されていると共に取出部３５から複数のスリット３６が放射状に形成されており、取出部３５回りに隣り合うスリット３６間には、取出部３５側の一端が自由端とされて他端が固定端とされた弾性変形可能な板片３７がそれぞれ形成され、板片３７が弾性的に撓み変形することで取出部３５が開閉される。【選択図】図１
2011011763.tif 000002
【特許請求の範囲】
【請求項１】
粒状の内容物を収容する容器本体と、該容器本体の開口部に設けられた中蓋と、該中蓋を覆う開閉可能な上蓋と、を備える容器において、
前記中蓋には、前記内容物が取り出される取出部が形成されていると共に該取出部から複数のスリットが放射状に形成されており、
前記取出部回りに隣り合う前記スリット間には、前記取出部側の一端が自由端とされて他端が固定端とされた弾性変形可能な板片がそれぞれ形成され、
該板片が弾性的に撓み変形することで前記取出部が開閉されることを特徴とする容器。
【請求項２】
請求項１に記載の容器において、
前記取出部回りに周設された複数の前記板片が、他端側から一端側に向かって取出部の軸線方向の外側にそれぞれ傾斜されていることを特徴とする容器。
【請求項３】
請求項１または２に記載の容器において、
前記上蓋が、ヒンジ回りに回転して開閉される蓋であり、
該上蓋を開状態で係止する係止手段が備えられていることを特徴とする容器。
【発明の詳細な説明】
【技術分野】
【０００１】
本発明は、例えば粒ガムや錠剤などの粒状の内容物を収容する容器に関する。
【背景技術】
【０００２】
この種の容器として、従来、例えば下記特許文献１に記載されているような、有底筒状の容器本体と、その容器本体の上側の開口部を開閉する蓋体と、を備えた構成が知られている。上記した容器本体の内側には、粒状の内容物が多数収容されている。また、上記した蓋体は、ヒンジを介して容器本体に連結された有頂筒状のヒンジキャップであり、蓋体の周壁部が容器本体の上端部に嵌合されることで容器本体の開口部に蓋体が被着されている。この容器から内容物を取り出す際には、まず、容器本体の開口部に被着された蓋体をヒンジ回りに回転させて蓋体を開け、容器本体の開口部を開放させる。その後、容器本体内の内容物を指等で摘んで取り出す。
【先行技術文献】
【特許文献】
【０００３】
【特許文献１】特開２００９−１０７６７０号公報
【発明の概要】
【発明が解決しようとする課題】
【０００４】
しかしながら、上記した従来の容器では、容器本体内に収容された内容物が少なくなると、容器本体内の内容物を指等で摘みにくくなり、内容物が取り出しにくくなるという問題が存在する。また、上記した従来の容器では、蓋体をあけた後、容器本体を傾けることで、容器本体内の内容物が滑り落ちて容器本体の開口部から取り出されるが、内容物を１粒ずつ個別に取り出すことが難しいという問題がある。
【０００５】
本発明は、上記した従来の問題が考慮されたものであり、容器本体内に収容された粒状の内容物を、指等で摘み出すことなく、１粒ずつ個別に取り出すことができる容器を提供することを目的としている。
【課題を解決するための手段】
【０００６】
本発明に係る容器は、粒状の内容物を収容する容器本体と、該容器本体の開口部に設けられた中蓋と、該中蓋を覆う開閉可能な上蓋と、を備える容器において、前記中蓋には、前記内容物が取り出される取出部が形成されていると共に該取出部から複数のスリットが放射状に形成されており、前記取出部回りに隣り合う前記スリット間には、前記取出部側の一端が自由端とされて他端が固定端とされた弾性変形可能な板片がそれぞれ形成され、該板片が弾性的に撓み変形することで前記取出部が開閉されることを特徴としている。
【０００７】
このような特徴により、容器内から内容物を取り出す際には、まず、上蓋を開けて中蓋の取出部を露出させる。次に、容器本体を反転或いは傾倒させて取出部を鉛直下向き或いは斜め下向きにし、その状態で容器本体を揺動させる。これにより、容器本体内の内容物が板片を押圧し、板片の一端（自由端）が外側（取出部の軸線方向の外側）にむけて弾性的に撓み変形する。その結果、取出部が拡がって開放され、その取出部から内容物が放出される。
【０００８】
また、本発明に係る容器は、前記取出部回りに周設された複数の前記板片が、他端側から一端側に向かって取出部の軸線方向の外側にそれぞれ傾斜されていることが好ましい。
【０００９】
これにより、取出部を鉛直下向き或いは斜め下向きにしたとき、取出部の外周に周設された複数の板片は固定端側から取出部側に向かって下向きにそれぞれ傾斜され、下方に向かうに従い漸次縮径された略テーパー形状になるので、板片の一端が下側に撓み変形しやすくなり、取出部が開放されやすくなる。
【００１０】
また、本発明に係る容器は、前記上蓋が、ヒンジ回りに回転して開閉される蓋であり、該上蓋を開状態で係止する係止手段が備えられていることが好ましい。
【００１１】
これにより、上蓋を開けたときに係止手段によって上蓋が係止されてヒンジ回りの上蓋の回転が規制されるので、内容物の取り出し時に容器本体を揺動させても、上蓋のヒンジ回りの回転が抑えられる。
【発明の効果】
【００１２】
本発明に係る容器によれば、容器本体内に収容された粒状の内容物が、板片を撓み変形させながら取出部から放出されるので、内容物を指等で摘み出すことなく１粒ずつ個別に取り出すことができる。
【図面の簡単な説明】
【００１３】
【図１】本発明の実施の形態を説明するための容器の縦断面図である。
【図２】本発明の実施の形態を説明するための上蓋が開いた状態における容器の平面図である。
【図３】本発明の実施の形態を説明するための内容物を取り出す状況を表した縦断面図である。
【図４】図３に示すＡ部分の拡大図である。
【発明を実施するための形態】
【００１４】
以下、本発明に係る容器の実施の形態について、図面に基いて説明する。
【００１５】
図１に示す鎖線Ｏは容器１の中心軸線を示しており、以下「軸線Ｏ」と記す。また、本発明では、この軸線Ｏに沿った方向を「軸方向」とし、軸線Ｏに直交する方向を「径方向」とし、軸線Ｏ回りの方向を「周方向」とする。また、本実施の形態では、容器本体２の開口部２０側（図１における上側）を「上方」とし、その反対側（図１における下側）を「下方」とする。
【００１６】
図１に示すように、容器１は、粒ガムや錠剤等の粒状の内容物Ｘ（図３に示す。）を収容する容器であり、その概略構成としては、図３に示す内容物Ｘを収容する容器本体２と、容器本体２の開口部２０に設けられた中蓋３と、中蓋３を覆う開閉可能な上蓋４と、を備えている。
【００１７】
容器本体２は、上端に開口部２０が形成された有底筒状の筒部であり、その概略構成としては、軸線Ｏを中心軸線にして軸方向に沿って延設された略円筒形状の胴部２１と、胴部２１の下端部に設けられた底部２２と、を備えている。胴部２１は、上方に向かうに従い漸次拡径された筒部であり、胴部２１の上端部には、外周面が段差状に縮径された縮径部２３が形成されている。底部２２は、胴部２１の下端を閉塞する壁部であり、胴部２１の下端に一体的に形成されている。
【００１８】
図１、図２に示すように、中蓋３は、容器本体２の上端部に装着されて開口部２０を覆う蓋体であり、有底の二重筒構造となっている。詳しく説明すると、中蓋３の概略構成としては、軸線Ｏを中心軸線にして軸方向に沿って延設された外筒部３０と、外筒部３０の内側に配設された内筒部３１と、外筒部３０の上端と内筒部３１の上端とを連結する天壁部３２と、天壁部３２から立設された立上げ筒部３３と、内筒部３１の下端に配設された底部３４と、を備えている。
【００１９】
外筒部３０は、容器本体２の上端の縮径部２３の径方向外側に周設された円筒形状の筒部であり、縮径部２３にアンダーカット嵌合されている。内筒部３１は、軸線Ｏを共通軸にして外筒部３０と同軸上に配設された円筒形状の筒部であり、容器本体２の上端部（縮径部２３）の内側に嵌合されている。天壁部３２は、軸線Ｏ回りに延設された円環状の壁部であり、容器本体２の上端面の上方に配設されている。この天壁部３２の外縁には外筒部３０が垂下されており、天壁部３２の内縁には内筒部３１が垂下されている。立上げ筒部３３は、天壁部３２の内縁から立設された円筒形状の筒部であり、軸線Ｏを中心軸線にして軸方向に沿って延設されている。立上げ筒部３３の内径は内筒部３１の内径と同径であり、立上げ筒部３３の内周面は内筒部３１の内周面と面一に形成されている。
【００２０】
底部３４は、容器本体２の開口部２０を覆う蓋面部であり、内筒部３１の内側に配設されている。この底部３４には、図３に示す内容物Ｘが取り出される取出部３５が形成されている。この取出部３５は、平面視円形の開口であり、内容物Ｘが挿通できない程度の小径の丸孔である。また、取出部３５は、底部３４の中心部に配設されており、取出部３５の中心は軸線Ｏ上に配置されている。
【００２１】
また、底部３４は、前記取出部３５を頂点にして軸方向上側に膨出されたテーパー形状（円錐台形状）に形成されており、内筒部３１の下端から取出部３５に向かって全周に亘って斜め上方に向けて傾斜されている。また、上記した底部３４には、平面視において取出部３５から複数のスリット３６が放射状に形成されている。これら複数のスリット３６は、全周に亘って等間隔に配列されており、隣り合うスリット３６間には、平面視略三角形状の板片３７がそれぞれ形成されている。
【００２２】
すなわち、底部３４は、内筒部３１の下端から径方向内側に向けて全周に亘って突出した円環状の外周部３８と、外周部３８の内縁から取出部３５側に向けて突出されていると共に該外周部３８の全周に亘って並設されて取出部３５回りに周設された複数の板片３７と、を備えている。板片３７は、取出部３５側（径方向内側）の一端が自由端とされて外周部３８側（径方向外側）の他端が固定端とされた板部であり、軸方向に弾性的に撓み変形可能となっている。また、各板片３７は、上記した他端側（外周部３８側）から一端側（取出部３５側）に向かって上向き（取出部３５の軸線方向の外側）にそれぞれ傾斜されており、複数の板片３７は、テーパー状に配設されている。
【００２３】
上蓋４は、中蓋３に被着される蓋体であり、その概略構成としては、中蓋３の底部３４の上方に配設された天壁部４０と、天壁部４０の外縁から垂下された嵌合筒部４１と、嵌合筒部４１の径方向外側に配設された周壁部４２と、を備えている。
【００２４】
天壁部４０は、軸線Ｏに対して垂直に配設された平面視円形の板部である。嵌合筒部４１は、軸線Ｏを中心軸線にして軸方向に沿って延設された円筒形状の筒部であり、嵌合筒部４１の下端部は、上記した中蓋３の立上げ筒部３３の内側にアンダーカット嵌合されている。周壁部４２は、嵌合筒部４１の上端部（天壁部４０の外縁部）から下方に向かうに従い漸次拡径されたテーパー形状の筒部であり、周壁部４２の下端部は、上記した中蓋３の立上げ筒部３３の外側に嵌合され、周壁部４２の下端面は、中蓋３の天壁部３２の上面に載置されている。
【００２５】
また、上記した上蓋４は、ヒンジ５回りに回転して開閉される蓋体であり、ヒンジ５を介して中蓋３に連結されている。また、上蓋４は、ヒンジ５を介して中蓋３と一体に形成されている。詳しく説明すると、ヒンジ５は、水平方向に延設された折り曲げ可能な屈曲部であり、中蓋３の外筒部３０の上端部外周と上蓋４の周壁部４２の下端部外周との間に介在されている。
【００２６】
上蓋４の周壁部４２の外周面のうち、上記したヒンジ５の直上の部分には、径方向外側に突出した係合凸部４３が設けられている。この係合凸部４３は、ヒンジ５と平行に延設されたフランジ状の凸部である。また、中蓋３の外筒部３０の外周面のうち、上記したヒンジ５の直下の部分には、前記係合凸部４３に対して着脱可能な係合凹部３９が形成されている。上記した係合凸部４３及び係合凹部３９は、上蓋４を開状態で係止する係止手段であり、図３、図４に示すように、上蓋４が開けられた状態において、上記した係合凸部４３が係合凹部３９の内側に嵌合され、係合凸部４３の係合面４３ａ（段差面）と係合凹部３９の係合面３９ａ（段差面）とが密接され、これらの係合面４３ａ、３９ａ間の嵌合力によって上蓋４のヒンジ５回りの回転動作が規制される。
【００２７】
また、図１に示すように、上記した上蓋４には、上蓋４を開ける際に指等を引っ掛ける摘み部４４が設けられている。摘み部４４は、周壁部４２の下端部から径方向外側に突出したフランジ部であり、軸線Ｏを挟んで上記したヒンジ５と対称な位置に配設されている。また、摘み部４４は、上蓋４が閉じられた状態において、中蓋３の外筒部３０の外周面よりも径方向外側に突出されている。
【００２８】
次に、上記した構成からなる容器１の作用について説明する。
【００２９】
上記した容器１内から内容物Ｘ（図３に示す。）を取り出す際には、まず、図２に示すように、上蓋４を開けて中蓋３の取出部３５（底部３４）を露出させる。具体的に説明すると、容器本体２を把持すると共に、上蓋４の摘み部４４に指等を引っ掛けて上蓋４を上方に押し上げる。これにより、上蓋４の嵌合筒部４１と中蓋３の立上げ筒部３３との嵌合が外れて嵌合筒部４１の下端部が中蓋３の立上げ筒部３３内から引き抜かれる。そして、上蓋４をヒンジ５回りに回転させ、図４に示すように上蓋４の係合凸部４３を中蓋３の係合凹部３９の内側に嵌合させ、上蓋４を開状態で係止させる。
【００３０】
次に、図３に示すように、容器本体２を反転させて取出部３５を鉛直下向きにし、その状態で容器本体２を揺動させる。これにより、容器本体２内の内容物Ｘが板片３７を押圧し、板片３７の一端（自由端）が外側（下側）にむけて弾性的に撓み変形する。その結果、取出部３５が拡がって開放され、その取出部３５から内容物Ｘが放出される。このとき、複数の板片３７は固定端側から取出部３５側に向かって下向きにそれぞれ傾斜され、底部３４は下方に向かうに従い漸次縮径された略テーパー形状になっているので、板片３７の先端（一端）が下側に撓み変形しやすく、取出部３５が開放されやすい。また、上記したように係合凸部４３が係合凹部３９の内側に嵌合されることでヒンジ５回りの上蓋４の回転が規制されるので、内容物Ｘを揺動させても、上蓋４がヒンジ５回りに回転せず、上蓋４は中蓋３に対して固定された状態となる。
【００３１】
上記した構成からなる容器１によれば、容器本体２内に収容された粒状の内容物Ｘが、板片３７を撓み変形させながら取出部３５から放出されるので、内容物Ｘを指等で摘み出すことなく１粒ずつ個別に取り出すことができる。
【００３２】
また、容器本体２を反転させたとき、複数の板片３７が固定端側から先端側（取出部３５側）に向かって下向きにそれぞれ傾斜され、板片３７の先端が下側に撓み変形しやすく、取出部３５が開放されやすいので、取出部３５から内容物Ｘが放出されやすく、内容物Ｘをより簡単に１粒ずつ個別に取り出すことができる。
【００３３】
また、上蓋４を開けたときに係合凸部４３を係合凹部３９に嵌合させることで、ヒンジ５回りの上蓋４の回転が規制され、内容物Ｘの取り出し時に容器本体２を揺動させても、ヒンジ５回りの上蓋４の回転が抑えられるので、容器本体２を揺動させる際に、上蓋４を押さえておく必要がなく、内容物Ｘの振り出し作業が行い易い。
【００３４】
以上、本発明に係る容器の実施の形態について説明したが、本発明は上記した実施の形態に限定されるものではなく、その趣旨を逸脱しない範囲で適宜変更可能である。
例えば、上記した実施の形態では、複数の板片３７の対向する先端同士は離間されており、取出部３５が平面視円形の開口となっているが、本発明は、取出部３５が開口でなくてもよく、単なる切れ目であってもよい。すなわち、複数の板片３７の先端（一端）同士が近接されていてもよい。
【００３５】
また、上記した実施の形態では、容器本体２の上端部に中蓋３が装着され、その中蓋３に上蓋４が被着されているが、本発明は、中蓋が容器本体の内側に配設され、上蓋が容器本体の上端部に被着された構成であってもよい。
【００３６】
また、上記した実施の形態では、中蓋３に形成された係合凹部３９と、上蓋４に設けられた係合凸部４３と、からなる係止手段が備えられているが、本発明は、他の構成の係止手段を設けることも可能である。例えば、中蓋３に係合凸部が形成され、上蓋４に係合凹部が形成されていてもよい。さらに、本発明は、上蓋４のヒンジ５回りの回転を規制する係止手段を省略することも可能である。
【００３７】
また、上記した実施の形態では、中蓋３と上蓋４とがヒンジ５を介して一体的に連結されているが、本発明は、上蓋と中蓋とが別体に形成されていてもよい。例えば、上蓋と容器本体とがヒンジを介して連結された構成であってもよく、或いは、中蓋や容器本体に装着される装着筒部に上蓋がヒンジ部を介して連結されていてもよい。
さらに、本発明は、ヒンジ回りに回転する蓋体以外の上蓋であってもよく、例えば、中蓋や容器本体に螺着されるネジキャップ状の上蓋であってもよい。
【００３８】
また、上記した実施の形態では、底部３４がテーパー形状を成しており、図１に示すように正立姿勢において、複数の板片３７が固定端側から先端側（取出部３５側）に向かって上向きにそれぞれ傾斜されているが、本発明は、底部３４が軸線Ｏに対して垂直な平面状に形成され、複数の板片３７が軸線Ｏに対する垂直面に沿って延設された構成にすることも可能である。
また、上記した実施の形態では、中蓋３の底部３４の中心部分に取出部３５が配設されているが、本発明は、取出部３５が軸線Ｏから偏心した位置に配設されていてもよい。
【００３９】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４０】
１  容器
２  容器本体
３  中蓋
４  上蓋
５  ヒンジ
２０  開口部
３５  取出部
３６  スリット
３７  板片
３９  係合凹部（係止手段）
４３  係合凸部（係止手段）
Ｘ  内容物
【図１】
2011011763.tif 000003
【図２】
2011011763.tif 000004
【図３】
2011011763.tif 000005
【図４】
2011011763.tif 000006